(57)【要約】      （修正有）【課題】ユーザが様々な計測機器を利用して、計測結果を一元的に管理することを可能にする、データ記録装置及びその関連技術を提供する。【解決手段】端末１は、表示部と、ユーザが使用している計測機器３を撮影するカメラ部を含む。端末１は、カメラ部が取得する画像に対して画像解析を実行し、計測結果データを取得するデータ取得する。端末１は、当該画像及び計測結果データを関連付けて記憶する。端末１は、画像解析の成否を判定し、画像解析を失敗と判断した場合に、画像を表示部に表示し、入力部を操作するユーザからの補正を受け付ける。【選択図】図１
2012147878.tif 000002
【特許請求の範囲】
【請求項１】
表示手段と、
ユーザが使用している計測機器を撮影する撮影手段と、
前記撮影手段が取得する画像に対して画像解析を実行し、計測結果データを取得するデータ取得手段と、
前記画像及び前記計測結果データを関連付けて記憶する第１の記憶手段と、
前記画像解析の成否を判定する判定手段と、
前記判定手段が前記画像解析を失敗と判断した場合に、前記画像を前記表示手段に表示し、補正を受け付ける補正手段と、を含むデータ記録装置。
【請求項２】
前記判定手段が、予想変化量を設定し、前回の計測結果データと今回の計測結果データとの差が前記予想変化量を超えた場合も、前記画像解析が失敗であると判断することを特徴とする、請求項１に記載のデータ記録装置。
【請求項３】
前記計測機の機種を識別する機種識別手段と、
前記機種毎に画像解析を補助するための補助情報を記憶する第２の記憶手段と、をさらに含み、
前記データ取得手段が、前記補助情報を使って前記画像解析を実行することを特徴とする、請求項１又は２に記載のデータ記録装置。
【請求項４】
前記撮影手段は、ユーザが前記撮影を実行する際に、前記表示手段に、現在撮影中の画像と、計測結果を読み取り可能な見本画像と、を並べて表示することを特徴とする、請求項１から３のいずれかに記載のデータ記録装置。
【請求項５】
ユーザが使用している計測機器を撮影するステップと、
前記撮影により取得する画像に対して画像解析を実行し、計測結果データを取得するステップと、
前記画像及び前記計測結果データを関連付けて記憶するステップと、
前記画像解析の成否を判定するステップと
前記画像解析を失敗と判断した場合に、前記画像を前記表示手段に表示し、補正を受け付けるステップと、を含むデータ記録方法。
【請求項６】
前記画像解析の成否を判定するステップにおいて、予想変化量を設定し、前回の計測結果データと今回の計測結果データとの差が前記予想変化量を超えた場合も、前記画像解析が失敗であると判断することを特徴とする、請求項５に記載のデータ記録方法。
【請求項７】
前記計測機の機種を識別するステップと、
前記機種毎に画像解析を補助するための補助情報を記憶するステップと、をさらに含み、
前記計測結果データを取得するステップにおいて、前記補助情報を使って前記画像解析を実行することを特徴とする、請求項５又は６に記載のデータ記録方法。
【請求項８】
前記計測機器を撮影するステップにおいて、表示手段に、現在撮影中の画像と、計測結果を読み取り可能な見本画像と、を並べて表示することを特徴とする、請求項５から７のいずれかに記載のデータ記録方法。
【請求項９】
請求項５から８に記載の処理をコンピュータに実行させるプログラム。
【請求項１０】
請求項９に記載のプログラムを記録した記録媒体。
【発明の詳細な説明】
【技術分野】
【０００１】
本発明は、計測機器の計測結果を記録及び活用するためのデータ記録装置及びその関連技術に関する。
【背景技術】
【０００２】
身体状態や運動量等の人の健康状態の指標となる情報を計測するための様々な計測機器が存在する。たとえば身長計、体重計、体脂肪計、血圧計、歩数計等である。しかし、従来の計測機器は計測結果を表示するのみで、計測結果を保存又は外部出力する手段を備えていない場合が多い。このため、多種多様な計測結果をまとめて簡単に記録及び活用するシステムが望まれる。
【０００３】
引用文献１には、計測機器を撮影し、画像認識によって画像から計測結果を取得するデータ入力装置が開示されている。このような装置を使えば、ユーザは計測装置の表示部の写真を撮るだけで、計測結果をデータとして保存・出力することができる。
【先行技術文献】
【特許文献】
【０００４】
【特許文献１】特開２００１−２２４５５７号公報
【発明の概要】
【発明が解決しようとする課題】
【０００５】
引用文献１のように画像認識を用いれば計測機器の機種を問わず計測結果データを収集することができる。しかし、画像認識処理に失敗し、計測結果データが取得されない場合や、誤った計測結果データが記録される可能性がある。また、計測機器の表示方法が未知のものである場合、データ記録装置は画像認識処理ができない場合がある。また、ユーザが撮影に失敗し、不明瞭な画像しか取得できず、データ記録装置が画像認識処理に失敗する可能性がある。
【０００６】
本発明の目的は、上記の課題を解決し、ユーザが様々な計測機器を利用して、計測結果を一元的に管理することを可能にする、データ記録装置及びその関連技術を提供することである。
【課題を解決するための手段】
【０００７】
本発明の第１の観点によれば、データ記録装置は、表示手段と、ユーザが使用している計測機器を撮影する撮影手段と、前記撮影手段が取得する画像に対して画像解析を実行し、計測結果データを取得するデータ取得手段と、前記画像及び前記計測結果データを関連付けて記憶する第１の記憶手段と、前記画像解析の成否を判定する判定手段と、前記判定手段が前記画像解析を失敗と判断した場合に、前記画像を提示し、補正を受け付ける補正手段と、を含む。
【０００８】
この構成によれば、ユーザは計測機器の結果表示部を撮影するだけで、画像認識によって自動的に計測結果データが記録される。また、画像認識が失敗した場合であっても、後から画像を見てデータを補正することができる。
【０００９】
前記記憶手段に、前記画像と前記計測結果データに加えて、日時情報も関連付けて記憶させておいてもよい。
【００１０】
この構成によれば、画像及び計測結果データを、日時情報を用いて整理することができる。
【００１１】
この場合、同じ日付の前記画像データ及び前記計測結果データが存在するならば、いずれか一方のデータを残して、他のデータを消去するようにしてもよい。例えば、複数のデータの内、時間が後のデータを残してもよい。ユーザに対して複数のデータを提示し、どのデータを残すかを選択させてもよい。
また、この場合、日付から所定の日時が経過した段階で前記記憶手段から、前記画像を消去するようにしてもよい。
また、前記補正が完了した時点で、前記画像を前記記憶手段から消去するようにしてもよい。
【００１２】
この構成によれば、不要なデータを消去し、多くの計測結果データを記憶することができる。この場合、データを消去する前に、ユーザに確認を促すようにしてもよい。
【００１３】
上記のデータ記録装置において、前記判定手段が、予想変化量を設定し、前回の計測結果データと今回の計測結果データとの差が前記予想変化量を超えた場合も、前記画像解析が失敗であると判断するようにしてもよい。
【００１４】
この構成によれば、誤った画像認識によって誤った計測結果データが記憶されることを極力防止することができる。
【００１５】
短い期間ではあまり計測結果が変動しない計測対象が存在する。例えば身長や体重などである。前回の計測結果と今回の計測結果との差があまりにも大きい場合、画像認識が失敗している可能性が高い。
一方で、例えば歩数等の運動量など、毎日計測結果が一定ではない計測対象も存在する。
【００１６】
このため、計測対象毎に、前記予想変化量の設定方法を変更するようにしてもよい。
また、計測対象によっては、前記予想変化量を設定しないようにしてもよい。
また、例えば計測結果の平均や標準偏差等、過去の計測結果に基づいて、前記予想変化量を設定するようにしてもよい。
このように構成すれば、より高い精度で、誤った計測結果が記憶されることを防止することができる。
【００１７】
上記のデータ記録装置において、前記計測機の機種を識別する機種識別手段と、前記機種毎に画像解析を補助するための補助情報を記憶する第２の記憶手段と、をさらに含み、前記データ取得手段が、前記補助情報を使って前記画像解析を実行するようにしてもよい。
【００１８】
この構成によれば、計測対象や表示方法の異なる多くの計測機器に対して、精度よく画像認識を実行することができる。
【００１９】
なお、第２の記憶手段は第１の記憶手段と物理的に別の記憶手段である必要はなく、同一の記憶手段上の異なる記憶領域を使用している状態を含む。
【００２０】
このデータ記録装置において、機種識別手段又は前記第２の記憶手段にユーザが使用する計測機器が記憶されていない場合、要求電文を作成する手段をさらに含んでもよい。
【００２１】
この構成によれば、データ記録装置又はデータ記録装置を使ったサービスを提供する業者に対して要求電文を送信し、情報をアップデートするように要求することができる。
例えば、データ記録装置は、ユーザに対して機種名、メーカー名、計測機器を撮影した画像等を任意で入力するための入力フォームを表示する。そして、データ記録装置は、入力された情報をまとめて要求電文として上記の業者に送信する。業者は要求電文を見てデータ記録装置用のアップデートデータを作成し、配信することができる。
結果、多くのユーザのデータ記録装置が、より精度よく画像認識を実行することができるようになる。
【００２２】
上記のデータ記録装置において、前記撮影手段は、ユーザが前記撮影を実行する際に、前記表示手段に、現在撮影中の画像と、計測結果を読み取り可能な見本画像と、を並べて表示するようにしてもよい。
【００２３】
この構成によれば、ユーザは見本画像を見ながら、データ記録装置が画像認識しやすいように心がけながら、撮影を実行することができる。このため、データ取得手段が画像認識を実行しやすい画像が記憶されやすくなる。結果、画像認識の精度を向上させることができる。
データ記録装置に機種識別手段が含まれる場合は、前記見本画像を、計測機器の機種毎に予め用意しておいてもよい。
【００２４】
上記のデータ記録装置は、一つの端末に全ての構成要素を搭載してもよい。
一方で、上記のデータ記録装置は、各構成要素を複数の装置で分担させてもよい。この場合は各装置の間で通信手段が必要となる。この場合、全ての装置をユーザが保有・操作する必要はない。例えば、ユーザが使用する端末と、データ記録装置又はデータ記録装置を使ったサービスを提供する業者が運営するサーバとの組み合わせによって、このデータ記録装置を構成しても構わない。
【００２５】
本発明の第２の観点によれば、データ記録方法は、ユーザが使用している計測機器を撮影する撮影ステップと、前記撮影手段が取得する画像に対して画像解析を実行し、計測結果データを取得するステップと、前記画像及び前記計測結果データを関連付けて記憶するステップと、前記画像解析の成否を判定するステップと、前記判定において前記画像解析を失敗と判断した場合に、前記画像を提示し、補正を受け付けるステップとを含む。
【００２６】
前記画像及び前記計測結果データを関連付けて記憶するステップにおいて、前記画像と前記計測結果データに加えて、日時情報も関連付けて記憶させておいてもよい。
【００２７】
この場合、同じ日付の前記画像データ及び前記計測結果データが存在するならば、いずれか一方のデータを残して、他のデータを消去するようにしてもよい。例えば、複数のデータの内、時間が後のデータを残してもよい。ユーザに対して複数のデータを提示し、どのデータを残すかを選択させてもよい。
また、この場合、日付から所定の日時が経過した段階で前記画像を消去するようにしてもよい。
また、前記補正が完了した時点で、前記画像を消去するようにしてもよい。
【００２８】
上記のデータ記録方法の前記判定において、予想変化量を設定し、前回の計測結果データと今回の計測結果データとの差が前記予想変化量を超えた場合も、前記画像解析が失敗であると判断するようにしてもよい。
【００２９】
この場合、計測対象毎に、前記予想変化量の設定方法を変更するようにしてもよい。
また、計測対象によっては、前記予想変化量を設定しないようにしてもよい。
また、例えば計測結果の平均や標準偏差等、過去の計測結果に基づいて、前記予想変化量を設定するようにしてもよい。
【００３０】
上記のデータ記録方法において、前記計測機の機種を識別するステップと、前記機種毎に画像解析を補助するための補助情報を記憶するステップと、をさらに含ませ、前記計測結果を取得するステップにおいて、前記補助情報を使って前記画像解析を実行するようにしてもよい。
【００３１】
上記のデータ記録方法に、ユーザが使用する計測機器が記憶されていない場合、要求電文を作成するステップをさらに含ませてもよい。
【００３２】
上記のデータ記録方法において、前記撮影を実行する際に、現在撮影中の画像と、計測結果を読み取り可能な見本画像と、並べて表示するようにしてもよい。
【００３３】
また、データ記録方法に上記の機種を識別するステップが含まれる場合は、前記見本画像を、計測機器の機種毎に予め用意しておいてもよい。
【００３４】
上記のデータ記録方法は、一つの端末に全ての処理を実行させてもよい。
一方で、上記のデータ記録方法は、各処理を複数の装置で分担して実行させてもよい。この場合は各装置の間で通信を行うステップが必要となる。この場合、全ての装置をユーザが保有・操作する必要はない。例えば、ユーザが使用する端末と、データ記録装置又はデータ記録装置を使ったサービスを提供する業者が運営するサーバとの組み合わせによって、このデータ記録装置を構成しても構わない。
【００３５】
以上、本発明の第２の観点によるデータ記録方法によれば、本発明の第１の観点によるデータ記録装置と同様の効果を奏する。
【００３６】
本発明の第３の観点によれば、プログラムは、本発明の第２の観点に基づくデータ記録方法をコンピュータに実行させるプログラムである。この構成によれば、本発明の第１の観点によるデータ記録装置と同様の効果を奏する。
【００３７】
本発明の第４の観点によれば、記録媒体は、上記のプログラムを格納した記録媒体である。この構成によれば、本発明の第１の観点によるデータ記録装置と同様の効果を奏する。
【図面の簡単な説明】
【００３８】
本発明の新規な特徴は、特許請求の範囲に記載されている。しかしながら、発明そのもの及びその他の特徴と効果は、添付図面を参照して具体的な実施例の詳細な説明を読むことにより容易に理解される。
【００３９】
【図１】図１は、第１の実施形態に係る、データ記録システムの全体構成を示す図である。
【図２】図２は、図１の端末１及びサーバ５の構成を示すブロック図である。
【発明を実施するための形態】
【００４０】
以下、本発明の実施の形態について、図面を参照しながら説明する。なお、図中、同一または相当部分については同一の参照符号を付してその説明を援用する。
【００４１】
図１は、第１の実施形態に係る、データ記録システムの全体構成を示す図である。
図１を参照して、データ記録システムは、端末１、計測機器３及びサーバ５を含む。
【００４２】
端末１は各ユーザが保有する端末である。端末１は、いわゆるスマートフォンであり、撮影手段としてカメラを持ち、ネットワーク７を通じて直接サーバ５と通信することができる。
ネットワーク７はインターネットのようなオープンなネットワークでも、イントラネットのようなクローズドなネットワークでもよい。
端末１には、予めこのデータ記録システムを利用するためのアプリケーションがインストールされている。サーバ５にも、この端末１のアプリケーションと連携するためのアプリケーションがインストールされている。以下、端末１及びサーバ５にインストールされている上記のアプリケーションを、「計測アプリ」として説明する。
【００４３】
計測機器３は複数の計測機器を含む。この実施の形態で説明するユーザは、体重計、血圧計及び歩数計の３種類の計測機器を使用する。ユーザは後で計測機器を追加することもできる。
図示はしないが、端末１は、ユーザの数だけ存在する。また、計測機器の数や種類はユーザによって異なる。計測アプリが取り扱う計測機器の種類は、計測機器３にしめす３種類に限定されるものではない。また計測アプリをアップデートすることで、理論上は表示部を有するあらゆる計測機器に対応可能である。
【００４４】
計測アプリには、現時点で計測アプリが取り扱うことができる計測機器の種類及び機種が記憶されている。各ユーザは計測アプリを操作し、端末１及びサーバ５に、自分が使用する計測機器の種類又は機種を事前に登録する。なお、計測機器の種類とは、計測の対象による分類を意味するものとする（例えば身長計、体重計、体脂肪計、血圧計、握力計、歩数計等）。また、計測機器の機種とは、各メーカーが作った同一モデル毎の分類を意味するものとする。
【００４５】
計測機器の機種の登録は任意である。ユーザが機種も登録している場合、端末１は、後述する画像認識を実行するときに、機種毎に予め用意された画像認識の精度を向上させるための補助情報を使用することができる。
【００４６】
ユーザは、各計測機器３を使って計測を行うとき、まず計測機器３の種類を選択する。そして、端末１のカメラで各計測機器３の結果表示部を撮影する。端末１は撮影によって取得した画像に対して画像認識処理を実行し、計測結果データを取得する。計測結果データには計測対象、単位、計測機器の機種、及び計測結果の数値が含まれる。そして、端末１は、撮影画像、計測結果データ及び撮影日時を関連付けて記憶する。
【００４７】
サーバ５は、サービス事業者によって管理される。サーバ５は、各ユーザの端末１からアクセスされる。サーバ５は端末１から計測結果データを受信し、記録する。サーバ５は、日々の計測結果データに基づいて、グラフ等のユーザにとって見やすい形で表示するための表示データを生成する。当該表示データは、各端末１の要求に応じて各端末に送信される。端末１は受信した表示データに基づいて表示画面を生成し、表示する。
【００４８】
また、サーバ５は、ユーザの計測結果を病院等の外部のサーバに提供することもできる。但し、外部サーバに対する情報提供は、予めユーザとサービス事業者との合意がある場合に限って行われる。
【００４９】
このように、図１のデータ記録システムを利用するユーザは、計測機器３の結果表示部を端末１のカメラで撮影するだけで、日々の計測結果を記録することができる。
また、ユーザは端末１を通じて、自分の過去の計測結果を、見やすく編集された形で閲覧することができる。
また、ユーザは、サーバ５を通じて病院等の外部機関に計測結果データを開示し、診察等に役立てる等、計測結果を活用することができる。
【００５０】
図２は図１の端末１及びサーバ３の構成を示すブロック図である。
図２を参照して、端末１は、ＣＰＵ（Ｃｅｎｔｒａｌ  Ｐｒｏｃｅｓｓｉｎｇ  Ｕｎｉｔ）１０１、メモリ部１０３、入力部１０５、表示部１０７、カメラ部１０９、通信部１１１、時計部１１３及びバス１１５を含む。
サーバ５は、ＣＰＵ５０１、メモリ部５０３、入力部５０５、表示部５０７、通信部５１１及びバス５１５を含む。
【００５１】
ＣＰＵ１０１は、メモリ部１０３に格納された各種プログラムを実行し、他の端末１の各構成要素を制御する。
メモリ部１０３は、ＲＯＭ、ＲＡＭ、ハードディスク等、用途に合わせて選択された複数のメモリを含む。メモリ部１０３は、計測アプリを含むプログラムを格納する。メモリ部１０３は、ＣＰＵ１０１の各種処理のワーキングメモリとして利用される。
入力部１０５は、ユーザによって操作される入力インターフェースである。入力部１０５は、タッチパネルとボタンとを含む。端末１の機種によって、入力部１０５に含まれる構成は異なる。入力部１０５はユーザの操作に応じて入力情報を生成し、プログラムを実行するＣＰＵ１０１に伝える。
表示部１０７は、ＣＰＵ１０１がプログラムに応じて生成した画面が表示される。
カメラ部１０９は、撮影処理を実行し、画像データを取得する。この画像データには、動画も含まれる。
通信部１１１は、外部の機器との通信を制御する。通信部１１１は、他の端末との通話、電子メールのやり取り、インターネットへの接続、及びサーバ５との通信のために用いられる。
時計部１１３は、日時情報を取得する。
メモリ部１０３、入力部１０５、表示部１０７、カメラ部１０９、通信部１１１及び時計部１１３は、バス１１５を介してＣＰＵ１０１に制御される。
以降、プログラムに基づくＣＰＵ１０１の処理を、単に端末１の処理として説明する場合がある。
【００５２】
ＣＰＵ５０１は、メモリ部５０３に格納された各種プログラムを実行し、他のサーバ５の各構成要素を制御する。
メモリ部５０３は、ＲＯＭ、ＲＡＭ、ハードディスク等、用途に合わせて選択された複数のメモリを含む。メモリ部５０３は、計測アプリを含むプログラムを格納する。メモリ部５０３は、ＣＰＵ５０１の各種処理のワーキングメモリとしても利用される。
入力部５０５は、サーバ５の管理者がサーバ５に入力を行うための入力インターフェースである。入力部５０５は、キーボードやマウス等を含む。入力部５０５は管理者の操作に応じて入力情報を生成し、プログラムを実行するＣＰＵ５０１に伝える。
表示部５０７は、ＣＰＵ５０１がプログラムに応じて生成した画面が表示される。
通信部５１１は、外部の機器との通信を制御する。通信部５１１は、各端末１や外部サーバとの通信を実行する。
時計部５１３は、日時情報を取得する。
メモリ部５０３、入力部５０５、表示部５０７、通信部５１１及び時計部５１３は、バス５１５を介してＣＰＵ５０１に制御される。
以降、プログラムに基づくＣＰＵ５０１の処理を、サーバ５の処理として説明する場合がある。
【００５３】
次に、端末１及びサーバ５が実行する計測アプリの処理について説明する。
【００５４】
（計測機器の登録）
ユーザは計測アプリの利用開始時又は計測機器３が増えた時に、端末１を通じて計測機器３の登録処理を行う。
まず端末１は、計測機器の種類を特定する。端末１は、表示部１０７に計測アプリに記録された計測機器の種類のリストを表示する。そして、端末１は、入力部１０５からの信号に応じて、ユーザが選択した計測機器の種類を特定する。
【００５５】
次に端末１は、ユーザに計測機器の機種を登録させる。機種の登録処理には、２種類の方法がある。
【００５６】
一つは、ユーザがリストから選択する方法である。この場合、端末１は、計測機器の種類ごとに計測アプリに予め用意された機種のリストを、表示部１０７に表示する。そして、端末１は、入力部１０５からの信号に応じて、ユーザが選択した機種を特定する。この時、ユーザが入力するメーカー等の情報でさらに機種を絞り込むこともできる。
もう一つは、計測機器３の画像から、サーバ５が判定する方法である。
この場合、端末１は、計測機器を撮影する。そして、端末１は、撮影画像をサーバ５に送信する。サーバ５は撮影画像と、予め用意された機種毎の画像とのパターンマッチングを行う。画像が当該機種のＪＡＮコード等のバーコードを含む場合、サーバ５はさらにバーコードのデコード処理を行い、バーコードが示す情報を基に機種を検索する。
【００５７】
該当する機種があった場合、サーバ５は端末１に機種の情報を送る。端末１は、機種が正しいものか、ＹｅｓかＮｏでユーザに選択させる。
Ｙｅｓの場合、端末１は当該機種をユーザの計測機器の機種として登録する。Ｎｏの場合、端末１は入力フォームを表示し、機種の名前、型番、メーカー、バーコードの画像又は番号等の機種の特定に役立つ情報を任意で入力させる。端末１は入力フォームから取得した情報もサーバ５に送る。サーバ５は、当該計測機器の画像と情報とを保存する。サーバ５の管理者は、画像及び情報に基づいて機種を調べ、計測アプリのアップデート時に機種のリストを追加することができる。
【００５８】
（計測結果の記録）
ユーザは計測を行う際に、計測結果の記録処理を行う。この処理は、端末１のカメラ部１０９で計測中の計測機器３の結果表示部を撮影し、画像認識により計測結果をデータとして取得する処理である。
【００５９】
なお、計測アプリが採用する画像認識方法は、周知の画像認識方法で構わない。例えば引用文献１に開示されているような画像認識方法で構わない。サービス事業者は適宜画像認識方法を選択し、計測アプリをアップデートすることができる。
【００６０】
まず、端末１は表示部１０７に、ユーザが登録済みの計測機器３のリストを表示する。ユーザはこれから計測に使用する計測機器３をリストから選択する。ユーザの選択が終わると、端末１はカメラ部１０９を起動し、撮影処理を開始する。撮影処理中、端末１は、表示部１０７に、カメラ部１０９に写っている撮影中画像と、機種毎に予め用意された見本画像とを表示する。この見本画像は、端末１が画像認識しやすい画像の例である。ユーザは撮影中画像と見本画像がほぼ同じ構図になった時に、端末１の入力部１０５の所定のボタンを押す。ボタンが押されると、端末１は画像を保存する。
【００６１】
次に、端末１は保存した画像に対して、画像認識処理を実行する。この時端末１は、計測アプリ中に機種毎に予め用意されている補助情報を使用する。補助情報は、画像認識処理の精度を向上させるための情報である。補助情報には、ある機種の表示方法や表示位置などの情報が含まれる。
【００６２】
端末１は、画像認識により計測結果データを取得する。計測結果データには、端末１が読み取った数値と、計測機器の機種によって特定される計測対象及び単位とが含まれる。端末１は、保存した計測機器３の画像と、計測結果データと、時計部１１３が取得する日時データとをメモリ部１０３に保存する。端末１は、１日に１回、保存した情報の内、最も日時が新しい計測結果データを、サーバ５に送信する。サーバ５は、各端末１のために、当該日時データ及び計測結果データを記録する。
【００６３】
また、サーバ５は所定の期間、例えば５日間以上端末１から通信が無い場合、端末１にメールを送信し、ユーザの様子を伺う。
【００６４】
なお、端末１が画像認識できない場合又はユーザが手入力モードを選択した場合は、端末１は計測機器の種類毎に用意された入力フォームを表示する。ユーザは入力フォームに従って入力部１０５を操作し、計測結果の数値を入力する。端末１は、選択された計測機器３の種類に応じて計測結果の単位を付加し、日時情報を付加して、ユーザが入力した値を計測結果データとして取り扱う。
【００６５】
（補正処理）
端末１は、上記画像認識を失敗したと判断した場合、補正処理を実行する。この場合、端末１は、表示部１０７に、画像認識できなかった画像を表示する。ユーザは表示された画像を見て、入力部１０５を操作し、計測結果の数値を入力する。端末１は、入力部１０５から入力された値に単位を付加し、計測結果データを上書きする。
【００６６】
端末１は、画像認識の結果、値を読み取れなかった場合、失敗したと判断する。
また、端末１は、計測結果データの変化量が、下記の予想変化量データを超える場合も、失敗したと判断する。
【００６７】
端末１は、特定の計測対象に関して、日々の計測データに基づき予想変化量データを生成する。次に、端末１は前回の計測結果データと今回の計測結果データの差を取得する。そして、端末１は、当該差が予想変化量データの値より大きい場合、画像認識は失敗したと判断する。
【００６８】
例えば、端末１は体重に関して、前回の計測結果の５％を予想変化量データとして記録する。計測対象毎に予想変化量データの設定方法は異なる。身長や体重など、短期間に大きく変動することが少ない計測対象については、予想変化量データは小さく設定される。歩数や運動量など、日によって大きく変化しうる計測対象については、予想変化量は大きく設定される。計測対象によっては、予想変化量データを設定しない場合もある。予想変化量は、例えば過去の計測結果データの平均値の所定倍である。予想変化量は、過去の計測結果から求めた標準偏差等他のパラメータに基づいて設定してもよい。
【００６９】
予想変化量のデータは、画像認識の際にも使用することができる。例えば端末１は、画像認識の結果、計測結果の数値に２つの候補があって、一方が予想変化量の範囲内、他方が範囲外だった場合、予想変化量の範囲内にある値を採用する。
【００７０】
なお、ユーザが計測結果データを見て端末１の画像認識が間違っていると判断した場合、入力部１０５を操作して、端末１に補正処理を実行させることもできる。
【００７１】
補正処理を行った場合、端末１はサーバ５と通信し、計測結果データの上書きを要求する。補正処理が終わった時、端末１はその画像を消去し、日時データと計測結果データだけを残す。端末１は、日時データに基づき、撮影日から所定日時が経過した場合にも、同様に画像を消去し、日時データと計測結果データだけを残す。
【００７２】
以上本実施の形態１によれば、ユーザは計測機器３の結果表示部を撮影するだけで、画像認識によって自動的に計測結果データが記録される。また、画像認識が失敗した場合であっても、後から画像を見て計測結果データを補正することができる。
【００７３】
画像及び計測結果データを、日時情報を用いて整理することができる。
【００７４】
補正処理が済んで不要になった不要な画像を消去するので、多くの計測結果データを記憶することができる。この場合、データを消去する前に、ユーザに確認を促すようにしてもよい。
【００７５】
誤った画像認識によって誤った計測結果データが記憶されることを極力防止することができる。
【００７６】
また、予想変化量データを使って画像認識の成否を判断することによって、より高い精度で、誤った計測結果が記憶されることを防止することができる。
【００７７】
計測機器３の機種を特定できる場合は、端末１は、計測機器の機種毎に予め画像認識を補助する補助情報を使用できる。このため、端末１は、計測対象や表示方法の異なる多くの計測機器に対して、精度よく画像認識を実行することができる。
【００７８】
計測機器３の機種を特定できない場合も、サービス事業者に対して計測アプリに自分の計測機器３の機種も追加させるための要求電文を送信し、情報をアップデートするように要求することができる。
結果、多くのユーザの端末１が、より精度よく画像認識を実行することができるようになる。
【００７９】
撮影時に撮影中の画像と見本画像とを並べて表示することによって、ユーザは見本画像を見ながら、データ記録装置が画像認識しやすいように心がけながら、撮影を実行することができる。このため、端末１が画像認識を実行しやすい画像が保存されやすくなる。結果、端末１は画像認識の精度を向上させることができる。
【００８０】
（変形例）
なお、本発明は、上記の実施の形態に限られるものではなく、その要旨を逸脱しない範囲で種々の態様において実施することが可能であり、例えば、以下のような変形も可能である。
【００８１】
（１）実施の形態１では、処理を端末１とサーバ５に分担させたが、全ての処理を端末１だけで実行させても構わない。この場合、サーバ５との通信手段はなくてもよい。また、端末１とサーバ５に分担させる処理は変更しても構わない。本発明を実施する業者は、端末１、サーバ５、計測アプリに相当するものを単独で提供しても構わない。また、計測アプリだけをプログラム又はプログラムを記録した記録媒体として提供しても構わない。
【００８２】
（２）実施の形態１では、端末１がスマートフォンの例を挙げ、図２の構成要素が全て一つの筐体に搭載された端末の例を挙げた。しかし、それぞれの構成要素が別々に設けられた端末を使用してもよい。例えば端末として、汎用パーソナルコンピュータを使用し、外付けのカメラ（カメラ部）、マウスとキーボード（入力部）、ディスプレイ（表示部）、モデム（通信部）、時計（時計部）を有線又は無線で接続した構成でも構わない。この場合、外付けのカメラは、ユーザが携帯可能であることが望ましい。
【符号の説明】
【００８３】
１…端末、３…計測機器、５…ネットワーク、７…サーバ
【図１】
2012147878.tif 000003
【図２】
2012147878.tif 000004